(57)【要約】【課題】収納している記録媒体商品を不正に取り出そうとして無理に前記ロック手段の係止片を破損させたとしても、商品の取り出しを阻止することができる盗難防止ケースを提供せんとする。【解決手段】ロック手段の係止片２０に、開口への突出端２０ａ側が部分的に分離することで、残部に先端の尖った複数の山２１，２１Ａが並ぶこととなる略ギザ状の破断想定線３０に沿った破断案内溝３（３１，３２，３３）を設け、破断分離後に形成される複数の山のうち一つ以上の山２１Ａの先端位置が、分離前の当該係止片２０の突出端縁２０ａの位置に略一致するように前記破断想定線３０を定め、これに沿って前記破断案内溝３を形成した。【選択図】図４
2011037465.tif 000002
【特許請求の範囲】
【請求項１】
情報記録媒体よりなる記録媒体商品が出し入れされる開口部を正面側に有するケース本体と、前記開口部の縁部より開口側に出没して記録媒体商品を取り出し不能に係止する係止片を有するロック手段とを備えた盗難防止ケースにおいて、
前記ロック手段の係止片に、前記開口への突出端側が部分的に分離することで、残部に先端の尖った複数の山が並ぶこととなる略ギザ状の破断想定線に沿った破断案内溝を設け、
破断分離後に形成される複数の山のうち一つ以上の山の先端位置が、分離前の当該係止片の突出端縁の位置に略一致するように前記破断想定線を定め、これに沿って前記破断案内溝を形成してなる盗難防止ケース。
【請求項２】
前記破断想定線に沿った破断案内溝を、適宜間隔をおいて断続的に設けてなる請求項１記載の盗難防止ケース。
【請求項３】
前記破断案内溝が、前記係止片の前後方向に貫通した貫通溝である請求項１又は２記載の盗難防止ケース。
【請求項４】
前記係止片の前記破断想定線よりも突出端側の分離部分の厚みを、基端側よりも薄肉に構成してなる請求項１〜３の何れか１項に記載の盗難防止ケース。
【請求項５】
前記突出端縁に向かって次第に近づく左右一対の破断案内溝を設けるとともに、いずれも突出端縁の手前までの溝とし、且つこれら溝の延長線上の交点が前記突出端縁の位置に略一致する溝とすることで、破断分離後に当該一対の溝の間に前記先端位置が突出端縁の位置に略一致する山が形成される請求項１〜４の何れか１項に記載の盗難防止ケース。
【発明の詳細な説明】
【技術分野】
【０００１】
本発明は、情報記録媒体よりなる記録媒体商品が販売店やレンタル店から不正に持ち出されることを防止するための盗難防止ケースに関する。
【背景技術】
【０００２】
従来、ＣＤやＤＶＤ、ゲームソフト等の記録媒体商品が販売店やレンタル店等から不正に持ち出されることを防止するために、記録媒体商品を展示用の透明なケース本体内に収納するとともに、当該ケース本体の正面側の商品出し入れ用の開口部に、その縁部から開口側に出没して記録媒体商品を取り出し不能に係止する係止片を有するロック手段を設けた盗難防止ケースが種々提供されている（例えば、特許文献１〜３参照。）。
【０００３】
これら盗難防止ケースは、記録媒体商品を収納して店に展示している状態では、前記ロック手段の係止片が開口側に突出して商品を取り出し不能に係止し、購入時には店員が前記ロック手段を解除し、係止片を開口外に退避させて商品を取り出し可能とすることができる。しかしながら、近年の記録媒体商品の薄型化により、前記係止片の突出長さが短いと記録媒体商品を無理やり撓ませることにより不正に商品を取り出すことが可能となってしまう。また、係止片の突出長さが長くなると強度が維持できなくなり、該係止片の突出端側を手で持って前側に引っ張るなどすることで根元から破断してしまい、同じく不正に商品を取り出すことが可能となってしまう。
【先行技術文献】
【特許文献】
【０００４】
【特許文献１】特開２００１−２５３４８７号公報
【特許文献２】特開２００１−１９０７７号公報
【特許文献３】特開２００７−３１４２０１号公報
【発明の概要】
【発明が解決しようとする課題】
【０００５】
そこで、本発明が前述の状況に鑑み、解決しようとするところは、収納している記録媒体商品を不正に取り出そうとして無理に前記ロック手段の係止片を破損させたとしても、商品の取り出しを阻止することができる盗難防止ケースを提供する点にある。
【課題を解決するための手段】
【０００６】
本発明は、前述の課題解決のために、情報記録媒体よりなる記録媒体商品が出し入れされる開口部を正面側に有するケース本体と、前記開口部の縁部より開口側に出没して記録媒体商品を取り出し不能に係止する係止片を有するロック手段とを備えた盗難防止ケースにおいて、前記ロック手段の係止片に、前記開口への突出端側が部分的に分離することで、残部に先端の尖った複数の山が並ぶこととなる略ギザ状の破断想定線に沿った破断案内溝を設け、破断分離後に形成される複数の山のうち一つ以上の山の先端位置が、分離前の当該係止片の突出端縁の位置に略一致するように前記破断想定線を定め、これに沿って前記破断案内溝を形成してなる盗難防止ケースを構成した（請求項１）。
【０００７】
ここで、前記破断想定線に沿った破断案内溝を、適宜間隔をおいて断続的に設けたものが好ましい（請求項２）。
【０００８】
また、前記破断案内溝が、前記係止片の前後方向に貫通した貫通溝であることが好ましい（請求項３）。
【０００９】
更に、前記係止片の前記破断想定線よりも突出端側の分離部分の厚みを、基端側よりも薄肉に構成したものが好ましい（請求項４）。
【００１０】
また、前記突出端縁に向かって次第に近づく左右一対の破断案内溝を設けるとともに、いずれも突出端縁の手前までの溝とし、且つこれら溝の延長線上の交点が前記突出端縁の位置に略一致する溝とすることで、破断分離後に当該一対の溝の間に前記先端位置が突出端縁の位置に略一致する山が形成されるものが好ましい（請求項５）。
【発明の効果】
【００１１】
以上にしてなる本願発明に係る盗難防止ケースによれば、ロック手段の係止片に、突出端側が部分的に分離して残部に先端の尖った複数の山が並ぶように略ギザ状の破断想定線に沿った破断案内溝を設けたので、収納している記録媒体商品を不正に取り出そうと無理に前記係止片の突出端をこじる等しても、当該係止片が根元部から破断・破損する前に、前記破断想定線に沿った屈曲ないし破断分離が生じ、該係止片の基端側残部に残る先端の尖った複数の山で商品を係止して取り出しを阻止することができる。
【００１２】
すなわち、不正行為があっても係止片が根元から折れてしまうことで商品が取り出し可能となるといったことを回避でき、突出端側に現れる先端の尖った複数の山で商品を係止することで有効なロック機能を維持できる。しかも、各山は先端の尖った形状であるので、各山を更に屈曲ないし破損させることは困難であると同時に、これ以上の破損行為をすれば各山の先端で指に怪我をするといった牽制効果（威嚇効果）が生じ、不正行為を諦めさせることができる。
【００１３】
また、破断分離後に形成される複数の山のうち一つ以上の山の先端位置が、分離前の当該係止片の突出端縁の位置に略一致するように前記破断想定線を定め、これに沿って前記破断案内溝を形成したので、一つ以上の山の先端位置が突出端縁の位置に略一致し、係止片は破断分離後も分離前と同じ当初の突出長さを維持し、商品等を無理に撓ませる等しても取り出せない本来の機能を維持できるとともに、当該大きな山により前記牽制効果についても十分なものが期待できる。
【００１４】
また、前記破断想定線に沿った破断案内溝を、適宜間隔をおいて断続的に設けたので、破断案内溝の存在により当該係止片の強度が著しく低下してしまうといった不都合も生じなく、本来の不正行為以外の場面、例えば店員による商品の入れ替え等の管理の際に破損してしまうといった不測の事態も回避できる。
【００１５】
また、前記破断案内溝が、前記係止片の前後方向に貫通した貫通溝であるので、無理に係止片の突出端をこじる等した際には、当該貫通溝に沿ってスムーズに屈曲ないし破断分離が起こるようにすることができる。
【００１６】
また、前記係止片の前記破断想定線よりも突出端側の分離部分の厚みを、基端側よりも薄肉に構成したので、無理に係止片の突出端をこじる等した際には、強度の弱い当該分離部分が先に屈曲ないし破断分離し、係止片の根元部に力が殆ど作用せず、破断案内溝に沿ってスムーズに屈曲ないし破断分離が起こるようにすることができる。
【００１７】
また、前記突出端縁に向かって次第に近づく左右一対の破断案内溝を設けるとともに、いずれも突出端縁の手前までの溝とし、且つこれら溝の延長線上の交点が前記突出端縁の位置に略一致する溝とすることで、破断分離後に当該一対の溝の間に前記先端位置が突出端縁の位置に略一致する山が形成されることとしたので、これら左右の破断案内溝に沿って分離前と同じ当初の突出長さを維持した大きな山を確実に形成させることができ、商品の係止機能や不正行為者への牽制機能をより確実に発揮させることが可能となる。
【図面の簡単な説明】
【００１８】
【図１】本発明の代表的実施形態に係る盗難防止ケースに記録媒体商品を収納した状態を示す斜視図。
【図２】同じく盗難防止ケースのロック手段を解除した状態を示す斜視図。
【図３】（ａ）は同じく盗難防止ケースのロック手段の動作を示す説明図、（ｂ）はロック手段の変形例を示す説明図、（ｃ）はロック手段の他の変形例を示す説明図。
【図４】（ａ），（ｂ）はロック手段を構成する係止部材を示す斜視図。
【図５】（ａ）は同じく係止部材の正面図、（ｂ）は破断分離した状態を示す説明図。
【図６】係止部材の変形例を示す説明図。
【図７】（ａ）は同じく係止部材の正面図、（ｂ）は破断分離した状態を示す説明図。
【図８】（ａ）は係止部材の他の変形例を示す説明図、（ｂ）は破断分離した状態を示す説明図。
【図９】（ａ）は係止部材の更に他の変形例を示す説明図、（ｂ）は破断分離した状態を示す説明図。
【図１０】（ａ）は係止部材の更に他の変形例を示す説明図、（ｂ）は破断分離した状態を示す説明図。
【図１１】（ａ）〜（ｃ）はそれぞれ係止部材の更に他の変形例を示す説明図。
【発明を実施するための形態】
【００１９】
次に、本発明の実施形態を添付図面に基づき詳細に説明する。
【００２０】
本発明の盗難防止ケース１は、図１に示すように、情報記録媒体よりなる記録媒体商品９が出し入れされる開口部１０ａを正面側に有するケース本体１０と、開口部１０ａの縁部１２より開口側に出没して収納されている記録媒体商品９を取り出し不能に係止する係止片２０を有するロック手段１１とを備えている。
【００２１】
収納される記録媒体商品９は、プログラムが記録された記録媒体やＣＤ、ＤＶＤ、Ｂｌｕｅｒａｙ Ｄｉｓｃ（登録商標）、ゲームソフト、ビデオテープ等の情報記録媒体に広く適用でき、記録媒体商品９をそのまま収納して上記ロック手段１１で係止したものや、該記録媒体商品を盗難防止タグや盗難防止ブザー、取り出し防止用カバーなどとともに収納されてこれらが一体的に取り出し不能に係止されるものでもよい。
【００２２】
ケース本体１０は、図２にも示すように、前方が開放された偏平方形の箱体であり、記録媒体商品９の裏面に接当する方形の後板４０、この後板４０の外周縁から前側に向けて延出された上下板４１、４４、及び左右板４２、４３よりなる箱体を透明な合成樹脂（他の材料でもよい）により一体形成したものであり、前面側に形成される開口部１０ａを通して記録媒体商品９の出し入れが可能とされている。
【００２３】
下板４４の前端部には、収納された記録媒体商品９の下部前面を係止するための係止板４５が上方に向けて所定長さ形成されており、この係止板４５で商品下部を係止した状態で、上部をロック手段１１で係止することにより商品９が取り出し不能とされる。本例では、係止板４５を下板４４の全長にわたって左右に設けられているが、下板４４の一部、例えば中央部などに部分的に設けたり、下板４４と左板４２の角部及び下板４４と右板４３との角部にそれぞれ係止板を設けたものでもよい。また、本例では、後述するようにロック手段１１をケース本体１０の上板４１に設けたので、係止板４５をこれと対向する下板４４に設けたが、ロック手段１１が他の板に設けられる場合には、これに対向する板に同様にして設ければよいことは云うまでもない。
【００２４】
後板４０には、背面側から指を入れて記録媒体商品９を前方の開口部１０ａ側に押し出すための通孔４０ａが開設されている。ケース本体１０は、透明に構成したほうが記録媒体商品の背面側なども視認しやすく好ましいが、半透明や透過性の低いもの、或いは透過性のないものとして構成してもよい。
【００２５】
ケース本体１０の上板４１には、図２、図３（ａ）に示すように、開口側に出没する上記係止片２０を備えたロック手段１１が設けられている。このロック手段１１は、具体的には、開口部１０ａの一部（右上箇所）を塞ぐための閉塞部としての係止片２０が一体形成されて左右にスライド移動する係止部材２と、前記上板４１の上面側に設けられて前記係止部材２を左右にスライド案内するとともに該係止部材２が開口側に移動した位置（係止片２０が商品を係止する位置）で保持する図示しない係合手段を有するスライド案内部２６とより構成されている。
【００２６】
このロック手段１１は、係止片２０が開口側に出没して記録媒体商品９のケース本体１０からの取り出しを阻止するものであればよく、本例のように係止部材２が左右にスライド移動して係止片２０が出没するもの以外に、例えば図３（ｂ）に示すように、係止部材２が上板４１の上方から差し込まれて取付け／取り外しされるか或いは昇降移動して係止片２０が出没するものや、図３（ｃ）に示すように係止部材２が中心軸２２を中心に回転移動して係止片２０が出没するものなど、種々の形態を採用できる。また、記録媒体商品９に直接接当するものでもよいし、該商品９の前面に取り出し防止用カバー等を備えるものであれば、該カバーに接当して記録媒体商品９を間接的に係止するものでもよい。また、ロック手段１１は、上板４１に設けるもの以外に、左右の板４２、４３に設けてもよい。
【００２７】
係止部材２の係止片２０には、図４及び図５に示すように、略ギザ状の破断想定線３０に沿って破断案内溝３が設けられており、内部の記録媒体商品９を不正に取り出そうと無理に当該係止片２０の突出端縁２０ａをこじる等しても、当該係止片２０が根元部から破断・破損する前に破断想定線３０に沿って屈曲ないし破断分離が生じ、分離した残部には先端の尖った複数の山２１、２１Ａが並ぶこととなる。尚、略ギザ状の破断想定線３０は、図４（ａ）では、破断案内溝３の上縁又は下縁と図中一点鎖線で示した仮想線で示している。
【００２８】
これら突出端縁２０ａ側に現れる先端の尖った複数の山２１，２１Ａは、記録媒体商品９を同じく係止できる有効なロック機能を維持する。しかも、各山２１、２１Ａは先端の尖った形状であるので、更に屈曲ないし破損させることは困難であり、指に怪我をするといった牽制効果も生じ、これ以上の不正行為を諦めさせることができる効果がある。本例では、破断想定線３０に沿って、左側から順に略逆N字状に屈曲した溝３１と、略M字状に屈曲した溝３２と、略N字状に屈曲した溝３３とが所定間隔をおいて連設されている。
【００２９】
本例では、破断案内溝３（３１〜３３）は、係止片の前後方向に貫通した貫通溝とされているが、非貫通溝（有底溝）でもよい。また、本例では、破断想定線３０よりも突出端縁２０a側の分離部分２３の厚みを基端側よりも薄肉に構成し、強度の弱い当該分離部分２３がまず屈曲ないし破断分離し、係止片２０の根元部に力が殆ど作用せず、破断想定線３０に沿ってスムーズに屈曲ないし破断分離が起こるようにしているが、このような薄肉に構成することなく係止片２０の全体を均一厚さに設定しても勿論よい。本例では、破断案内溝３を貫通溝としているため、分離部分２３が薄肉に構成されているにもかかわらず、屈曲ないし破断は当該溝に沿って生じるが、破断案内溝３を上記したように非貫通溝とする場合には、薄肉な分離部分２３よりも更に薄肉として、当該溝に沿って屈曲ないし破断が生じるように構成される。
【００３０】
各溝３１、３２の間の間隔は、図４（ａ）に示すように互いに突出端縁２０aに向かって次第に近づく左右一対の溝部３１ｂ、３２ａの延長線上の交点が突出端縁２０ａの位置に略一致するように設定されている。これにより破断分離後に当該一対の溝部３１ｂ、３２ａの間には、図４（ｂ）に示すように先端位置が突出端縁２０ａの位置に略一致する比較的大きな山２１Ａが形成される。溝３２、３３の間の間隔についても同様であり、互いに突出端縁２０aに向かって次第に近づく溝部３２ｂ、３３ａの延長線上の交点が突出端縁２０ａの位置に略一致するように設定され、破断分離後に当該一対の溝部３１ｂ、３２ａの間に先端位置が突出端縁２０ａの位置に略一致する比較的大きな山２１Ａが形成される。
【００３１】
各溝３１、３２、３３のその他の部分により形成される山２１は、上記した大きな山２１Ａと比較して小さな山となる。大きな山２１Ａは、分離前と同じ当初の突出長さを維持しており、商品の係止機能や不正行為者への牽制機能をより確実に発揮させることができる。
【００３２】
本発明は、上記のように大きな山２１Ａが形成されるものであれば、その溝形状については特に限定されず、例えば図６及び図７に示すように、破断想定線３０に沿って左側から順に略逆N字状に屈曲した溝３１と、略N字状に屈曲した溝３３とが所定間隔をおいて連設されたものでもよい。ここでは、各溝３１、３３の間の間隔が、図７（ａ）に示すように互いに突出端縁２０aに向かって次第に近づく溝部３１ｂ、３３ａの延長線上の交点が突出端縁２０ａの位置に略一致するように設定されており、破断分離後は、図７（ｂ）に示すように当該一対の溝部３１ｂ、３３ａの間に先端位置が突出端縁２０ａの位置に略一致する比較的大きな山２１Ａが形成される。
【００３３】
また、他の例として、例えば図８（ａ），（ｂ）に示すように、破断想定線３０に沿って略M字状に屈曲した溝３２、３２を所定間隔をおいて複数連設したものでもよい。ここでも、各溝３２，３２の間の間隔が、図８（ａ）に示すように互いに突出端縁２０aに向かって次第に近づく溝部３２ｂ、３２ａの延長線上の交点が突出端縁２０ａの位置に略一致するように設定され、破断分離後、図８（ｂ）に示すように当該一対の溝部３２ｂ、３２ａの間に先端位置が突出端縁２０ａの位置に略一致する比較的大きな山２１Ａが形成される。
【００３４】
図９は、破断想定線３０に沿って、略逆Ｖ字状に屈曲した溝３４を所定間隔をおいて複
数連設した変形例である。各溝３４、３４の間の間隔も、上記と同様、互いに突出端縁２０aに向かって次第に近づく溝部３４ｂ、３４ａの延長線上の交点が突出端縁２０ａの位置に略一致するように設定され、破断分離後、図９（ｂ）に示すように当該一対の溝部３４ｂ、３４ａの間に先端位置が突出端縁２０ａの位置に略一致する比較的大きな山２１Ａが形成される。
【００３５】
本発明において、破断分離後に係止片２０に形成される各山２１、２１Ａの間の谷部は、曲線状にカーブを描いて屈曲した形状でもよい。図１０は、破断想定線３０をこのように谷部がカーブを描いて屈曲した形状の略ギザ状に設定した例であり、本例では図６、７で例示した略逆N字状に屈曲した溝３１と、略N字状に屈曲した溝３３をそれぞれ変形させて形成したものである。溝３１、３３の間の間隔や破断分離後に比較的大きな山２１Ａが形成される点は図６、７で示した例と同様である。このように谷部を曲線状にカーブを描いた形状とすることで見た目のイメージが緩やかなものとなり、デザイン上も好ましい。
【００３６】
また、図１１（ａ）は、破断想定線３０に沿って直線溝３５を間隔をおいて連設した本発明の変形例であり、互いに突出端縁２０aに向かって次第に近づく溝３５、３５の組のうち、少なくとも一部の組（３５Ａ，３５Ａ）は、その延長線上の交点が突出端縁２０ａの位置に略一致するように設定され、その間に破断分離後に大きな山が形成されるように構成されている。図１１（ｂ）は、短い溝３６を間隔をおいて複数連設したものであり、同様に互いに突出端縁２０aに向かって次第に近づく所定の溝３６Ａの列は、その延長線上の交点が突出端縁２０ａの位置に略一致するように設定され、その間に破断分離後に大きな山が形成されるように構成されている。
【００３７】
破断分離前の係止片２０は、本例のような方形に限らず、先端が湾曲したものや三角形状など、その他の形状でもよい。また、図１１（ｃ）に示すように、突出端縁２０ａに連続した凹凸形状部２４を形成することも好ましい実施例である。この場合、その凹凸形状部２４を形成している複数の凸部のうち、所定の凸部２５を上記した比較的大きな山２１Ａの先端部を構成するようにしたものがより好ましい。すなわち、図１１（ａ）の溝形状で例示すれば、溝３５Ａ，３５Ａの延長線が輪郭と略一致する略Ｖ字状の凸部２５を形成
し、破断の際、溝３５Ａの先が当該凸部２５の輪郭線に至り、先端に凸部２５を有する大きな山がスムーズに形成されることとなる。つまり、このような凸部２５ないし凹凸形状部２４が存在しない場合に比べて破断長さが短くなり、前記凸部２５による期待どおりの先端形状を有する大きな山を確実に形成できるのである。
【００３８】
以上、本発明の実施形態について説明したが、本発明はこうした実施例に何ら限定されるものではなく、本発明の要旨を逸脱しない範囲において種々なる形態で実施し得ることは勿論である。
【符号の説明】
【００３９】
１  盗難防止ケース
２  係止部材
３  破断案内溝
９  記録媒体商品
１０  ケース本体
１０ａ  開口部
１１  ロック手段
１２  縁部
２０  係止片
２０ａ  突出端縁
２１，２１Ａ  山
２２  中心軸
２３  分離部分
２４  凹凸形状部
２５  凸部
２６  スライド案内部
３０  破断想定線
３１、３２、３３、３４，３５，３５Ａ，３６，３６Ａ  溝
３１ｂ、３２ａ，３２ｂ、３３ａ、３４ａ，３４ｂ  溝部
４０  後板
４０ａ  通孔
４１  上板
４２  左板
４３  右板
４４  下板
４５  係止板
【図１】
2011037465.tif 000003
【図２】
2011037465.tif 000004
【図３】
2011037465.tif 000005
【図４】
2011037465.tif 000006
【図５】
2011037465.tif 000007
【図６】
2011037465.tif 000008
【図７】
2011037465.tif 000009
【図８】
2011037465.tif 000010
【図９】
2011037465.tif 000011
【図１０】
2011037465.tif 000012
【図１１】
2011037465.tif 000013